(57)【要約】【課題】付加ユニットの動作設定を容易かつ効率よく行うことができ、また付加ユニットを取り外しても付加ユニットの動作設定を保持することができる情報処理装置を提供する。【解決手段】ファクシミリ機能等を有する本体ユニット２に、電子メール等の送受が可能なネットワーク機能を有する付加ユニット３が着脱可能となっている。本体ユニット２のＣＰＵ１０によって、入力された設定データが、本体ユニット２、付加ユニット３のいずれの機能に関連するものが判別されて、本体ユニット２に備えられる記憶部１１と、付加ユニット３に備えられる記憶部２１とに分けて保存されるようになっている。また、本体ユニット２に備えられた操作パネル１６を介して本体ユニット２及び付加ユニット３の動作設定を行うことができる。【選択図】図１
2008035209.tif 000002
【特許請求の範囲】
【請求項１】
付加ユニット用記憶部を有する付加ユニットの着脱が可能な情報処理装置であって、
本体ユニット用記憶部と、制御部とを備え、
前記制御部は、動作設定に関する設定データの入力を受け付けると、その設定データが本体ユニットとしての当該情報処理装置、前記付加ユニットのいずれの機能に関連するものであるかを判別し、その設定データが前記本体ユニットの機能に関連するものである場合には、その設定データを前記本体ユニット用記憶部に記憶させ、その設定データが前記付加ユニットの機能に関連するものであって前記付加ユニットが装着されている場合には、その設定データを前記付加ユニット用記憶部に記憶させることを特徴とする情報処理装置。
【請求項２】
請求項１に記載の情報処理装置において、
前記制御部は、前記付加ユニットが装着されていない場合は前記本体ユニット用記憶部に記憶された前記設定データに基づいて処理動作を行い、前記付加ユニットが装着されている場合は前記本体ユニット用記憶部に記憶された前記設定データ及び前記付加ユニット用記憶部に記憶された前記設定データに基づいて処理動作を行うことを特徴とする情報処理装置。
【請求項３】
請求項１又は請求項２に記載の情報処理装置において、
操作入力を受け付ける操作部をさらに備え、
前記制御部は、前記本体ユニット及び前記付加ユニットの動作設定に関する操作入力を前記操作部を介して受け付けることを特徴とする情報処理装置。
【請求項４】
請求項１ないし請求項３のいずれかに記載の情報処理装置において、
前記情報処理装置は、ファクシミリを送受信するファクシミリ機能を少なくとも有しており、
前記付加ユニットは、ネットワークを介して電子メールを送受するネットワーク通信機能を少なくとも有しており、
前記本体ユニット用記憶部に記憶される前記設定データには、ファクシミリ番号を含む第１のアドレスデータが少なくとも含まれており、
前記付加ユニット用記憶部に記憶される前記設定データには、電子メールアドレスを含む第２のアドレスデータが少なくとも含まれていることを特徴とする情報処理装置。
【請求項５】
請求項４に記載の情報処理装置において、
前記本体ユニット用記憶部に記憶される前記データには、受信ファクシミリの発信元に応じて転送先ファクシミリ番号を特定して転送処理を行うための第１の転送設定データが含まれており、
前記付加ユニット用記憶部に記憶される前記設定データには、受信ファクシミリの発信元に応じて転送先電子メールアドレスを特定して転送処理を行うための第２の転送設定データが含まれていることを特徴とする情報処理装置。
【請求項６】
本体ユニットと、その本体ユニットに着脱自在に装着された付加ユニットをと備えた情報処理装置であって、
前記付加ユニットは、その付加ユニットの機能に関連する設定データが記憶される付加ユニット用記憶部を備え、
前記本体ユニットは、
当該本体ユニットの機能に関連する設定データが記憶される本体ユニット用記憶部と、
前記設定データの入力を受け付けると、その設定データが前記本体ユニット、前記付加ユニットのいずれの機能に関連するものであるかを判別し、その設定データが前記本体ユニットの機能に関連するものである場合には、その設定データを前記本体ユニット用記憶部に記憶させ、その設定データが前記付加ユニットの機能に関するものであって前記付加ユニットが装着されている場合には、その設定データを前記付加ユニット用記憶部に記憶させる制御部と、を備えることを特徴とする情報処理装置。
【発明の詳細な説明】
【技術分野】
【０００１】
本発明は、付加ユニットの着脱が可能となっている情報処理装置に関する。
【背景技術】
【０００２】
例えば、ファクシミリ装置などの情報処理装置では、電子メールの送受信機能を有する付加ユニットが装着可能となっているものがある（例えば、特許文献１）。
【特許文献１】特開２００１−１５６９５６号公報
【発明の開示】
【発明が解決しようとする課題】
【０００３】
このような従来の情報処理装置では、本体ユニットに付加ユニットを装着した場合、付加ユニットの動作設定を本体ユニットの動作設定とは別の操作部等を介して独立して行う必要があり、設定に手間がかかるという問題がある。また、付加ユニットに設定されていた動作設定の内容が、付加ユニットを取り外した際に失われてしまうこともあった。
【０００４】
そこで、本発明の解決すべき課題は、付加ユニットの動作設定を容易かつ効率よく行うことができ、また付加ユニットを取り外しても付加ユニットの動作設定を保持することができる情報処理装置を提供することである。
【課題を解決するための手段】
【０００５】
上記の課題を解決するため、請求項１の発明では、付加ユニット用記憶部を有する付加ユニットの着脱が可能な情報処理装置であって、本体ユニット用記憶部と、制御部とを備え、前記制御部は、動作設定に関する設定データの入力を受け付けると、その設定データが本体ユニットとしての当該情報処理装置、前記付加ユニットのいずれの機能に関連するものであるかを判別し、その設定データが前記本体ユニットの機能に関連するものである場合には、その設定データを前記本体ユニット用記憶部に記憶させ、その設定データが前記付加ユニットの機能に関連するものであって前記付加ユニットが装着されている場合には、その設定データを前記付加ユニット用記憶部に記憶させる。
【０００６】
また、請求項２の発明では、請求項１の発明に係る情報処理装置において、前記制御部は、前記付加ユニットが装着されていない場合は前記本体ユニット用記憶部に記憶された前記設定データに基づいて処理動作を行い、前記付加ユニットが装着されている場合は前記本体ユニット用記憶部に記憶された前記設定データ及び前記付加ユニット用記憶部に記憶された前記設定データに基づいて処理動作を行う。
【０００７】
また、請求項３の発明では、請求項１又は請求項２の発明に係る情報処理装置において、操作入力を受け付ける操作部をさらに備え、前記制御部は、前記本体ユニット及び前記付加ユニットの動作設定に関する操作入力を前記操作部を介して受け付ける。
【０００８】
また、請求項４の発明では、請求項１ないし請求項３のいずれかの発明に係る情報処理装置において、前記情報処理装置は、ファクシミリを送受信するファクシミリ機能を少なくとも有しており、前記付加ユニットは、ネットワークを介して電子メールを送受するネットワーク通信機能を少なくとも有しており、前記本体ユニット用記憶部に記憶される前記設定データには、ファクシミリ番号を含む第１のアドレスデータが少なくとも含まれており、前記付加ユニット用記憶部に記憶される前記設定データには、電子メールアドレスを含む第２のアドレスデータが少なくとも含まれている。
【０００９】
また、請求項５の発明では、請求項４の発明に係る情報処理装置において、前記本体ユニット用記憶部に記憶される前記データには、受信ファクシミリの発信元に応じて転送先ファクシミリ番号を特定して転送処理を行うための第１の転送設定データが含まれており、前記付加ユニット用記憶部に記憶される前記設定データには、受信ファクシミリの発信元に応じて転送先電子メールアドレスを特定して転送処理を行うための第２の転送設定データが含まれている。
【００１０】
また、請求項６の発明では、本体ユニットと、その本体ユニットに着脱自在に装着された付加ユニットをと備えた情報処理装置であって、前記付加ユニットは、その付加ユニットの機能に関連する設定データが記憶される付加ユニット用記憶部を備え、前記本体ユニットは、当該本体ユニットの機能に関連する設定データが記憶される本体ユニット用記憶部と、前記設定データの入力を受け付けると、その設定データが前記本体ユニット、前記付加ユニットのいずれの機能に関連するものであるかを判別し、その設定データが前記本体ユニットの機能に関連するものである場合には、その設定データを前記本体ユニット用記憶部に記憶させ、その設定データが前記付加ユニットの機能に関するものであって前記付加ユニットが装着されている場合には、その設定データを前記付加ユニット用記憶部に記憶させる制御部とを備える。
【発明の効果】
【００１１】
請求項１ないし６に記載の発明によれば、本体ユニットの制御部によって、入力された設定データが、本体ユニット、付加ユニットのいずれの機能に関連するものかが判別されて、本体ユニットに備えられる本体ユニット用記憶部と、付加ユニットに備えられる付加ユニット用記憶部とに分けて記憶されるようになっている。このため、ユーザが、本体ユニットの機能に関する動作設定と、付加ユニットの機能に関する動作設定とを独立して行う必要がなく、あたかも一つのユニットに対する動作設定を行っているかのようにして設定を行うことができ、付加ユニットの動作設定を容易にかつ効率よく行うことができる。
【００１２】
また、付加ユニットの機能に関連する設定データは付加ユニットに備えるられる付加ユニット用記憶部に記憶されるため、付加ユニットを取り外しても付加ユニットの動作設定を保持することができる。
【００１３】
請求項２に記載の発明によれば、制御部が、付加ユニットが装着されていない場合は本体ユニット用記憶部に記憶された設定データに基づいて処理動作を行い、付加ユニットが装着されている場合は本体ユニット用記憶部に記憶された設定データ及び付加ユニット用記憶部に記憶された設定データに基づいて処理動作を行うため、付加ユニットの着脱に伴って制御部の処理動作を確実に切り替えることができ、処理動作に混乱が生じることがない。
【００１４】
請求項３に記載の発明によれば、本体ユニットに備えられた操作部を介して本体ユニット及び付加ユニットの動作設定を行うことができるため、付加ユニットが装着されている場合にも１カ所の操作部により容易かつ効率よく動作設定を行うことができる。
【発明を実施するための最良の形態】
【００１５】
図１は、本発明の一実施形態に係る情報処理装置としてのファクシミリ複合装置のブロックである。このファクシミリ複合装置１は、図１に示すように、本体ユニット２と、その本体ユニット２にオプションとして着脱可能に装着される付加ユニット３とを備えて構成されている。本体ユニット２は、ＭＦＰを構成する主機器としてのファクシミリ装置であり、付加ユニット３はネットワークＩ／Ｆボードからなる従属機器としてのオプション機器であり、ファクシミリ装置１にオプションとして、ＬＡＮ及びインターネットを含むネットワーク４に対する通信機能を付与するようになっている。
【００１６】
本体ユニット２は、付加ユニット３を含まないそれ単体では複写機能を有する一般的なファクシミリ装置の如き構成となっており、ＣＰＵ（制御部）１０と、該ＣＰＵ１０にバスを介して接続された記憶部（本体ユニット用記憶部）１１、スキャナ１２、プリンタ１３、モデム１４、ＮＣＵ１５、操作パネル（操作部）１６、表示部１７及びＩ／Ｆ１８とを備えている。記憶部１１は、ＲＯＭ、ＲＡＭ等の記憶装置を備えて構成されれている。
【００１７】
ＣＰＵ１０は、記憶部１１のＲＯＭに記憶されているコンピュータプログラムに基づいてその動作に必要な様々な処理を実行する。
【００１８】
記憶部１１に備えられる書き換え可能なメモリには、本体ユニット２の動作設定に関する設定データなどが記憶されている。設定データとしては、対応付けられた相手先名とファクシミリ番号とを含む第１のアドレスデータ、及び、ファクシミリ受信時の本体ユニット２の動作（条件と具体的な動作内容）に関するデータなどが含まれている。
【００１９】
モデム１４は、ファクシミリ通信が可能なファクシミリモデムから構成されている。また、モデム１４は、同様にバスに接続されたＮＣＵ（Network Control Unit）１５と直接的に接続されている。ＮＣＵ１５は、アナログの公衆電話回線網（ＰＳＴＮ）５との回線の閉結及び開放の動作を行なうハードウェアであり、必要に応じてモデム１４を公衆電話回線網５と接続する。なお、ＩＳＤＮ用インタフェースを備えることにより、デジタル回線網（ＩＳＤＮ）に接続するようにしてもよい。
【００２０】
操作パネル１６は、ファクシミリ複合装置１を操作するために必要な文字キー、テンキー、短縮ダイヤルキー、及びワンタッチダイヤルキー等の各種キーを備えている。
【００２１】
表示部１７は、液晶表示装置（ＬＣＤ）等の表示装置を備え、ＣＰＵ１０の動作状態等を表示する。なお、これに代えてタッチパネル方式の表示装置を備えることにより、前述した操作パネル１６の一部又は全部を代用することも可能である。
【００２２】
スキャナ１２は、ＣＣＤ等を利用して原稿を読み取り、白黒２値に変換したドットイメージデータ等を出力する。
【００２３】
プリンタ１３は、電子写真方式等のプリンタ装置であり、上述したスキャナ１２により読み込まれたイメージデータ、ファクシミリ受信したイメージデータ等をプリントアウトする。
【００２４】
以上の如く構成されたファクシミリ複合装置１に取り付けられた付加ユニット３は、それが備えるデータ受渡部（例えば、デュアルポートＲＡＭ）２２を介して、ファクシミリ複合装置１のバスに接続された適宜のＩ／Ｆ１８に繋げられている。
【００２５】
付加ユニット３は、ＣＰＵ（付加ユニット用制御部）２０と、該ＣＰＵ２０にバスを介して接続された記憶部（付加ユニット用記憶部）２１、データ受渡部２２、及び通信Ｉ／Ｆ２３とを備えている。記憶部２１は、ＲＯＭ及びＲＡＭ等の記憶装置を備えて構成されている。
【００２６】
ＣＰＵ２０は、記憶部２１のＲＯＭに記憶されているコンピュータプログラムに基づいてその動作に必要な様々な処理を実行する。
【００２７】
記憶部２１に備えられる書き換え可能なメモリには、付加ユニット３の動作設定に関する設定データなどが記憶されている。設定データとしては、対応付けられた相手先名とファクシミリ番号とを含む第２のアドレスデータ、及び、ファクシミリ又は電子メール受信時の付加ユニット３の動作（条件と具体的な動作内容）に関するデータなどが含まれている。
【００２８】
通信Ｉ／Ｆ２３は、付加ユニット３をネットワーク４へ接続するためのインタフェースであり、ＳＭＴＰ（Simple Mail Transfer Protocol）、ＰＯＰ（Post Office Protocol）、ＳＭＢ（Server Message Block）、ＨＴＴＰ（HyperText Transfer Protocol）等を取り扱うための機能が備えられている。通信Ｉ／Ｆ２３の具体的な機能としては、電子メールの送受、電子メールに画像データを添付して送受するインターネットファクシミリの送受、及び、ＬＡＮ又はインターネットを介したデータの送受等が含まれている。
【００２９】
前述した如く本実施形態のファクシミリ複合装置１の本体ユニット２は、複写機能付きの一般的なファクシミリ複合装置としての原稿読み取り機能、ファクシミリ通信機能、及びイメージデータ印字機能を有しているが、この本体ユニット２に取り付けられた付加ユニット３により、ＬＡＮ、インターネット等のネットワーク４に対する通信機能が付加されている。
【００３０】
具体的には、ＬＡＮ上の図示しないクライアント装置等との間でイメージデータを含むデータの授受が可能であり、これによって、付加ユニット３を含むファクシミリ複合装置１をネットワークファクシミリ複合装置、ネットワークプリンタ装置、ネットワークスキャナ装置、又はインターネットファクシミリ装置等の機能を有したＭＦＰ（ネットワーク周辺機器）として利用することができるようになっている。なお、本体ユニット２側の処理動作と付加ユニット３側の処理動作との連携は、データ受渡部２２を介して行われるようになっている。
【００３１】
また、このような構成に関連し、ファクシミリ複合装置１では、本体ユニット２のＣＰＵ１０は、付加ユニット３の装着前から、付加ユニット３の装着に対応可能な動作プログラムに基づいて動作しており、付加ユニット３の装着を検知すると、その処理動作を切り替え、本体ユニット２と付加ユニット３との両方を統括して制御するようになっている。これに伴って、付加ユニット３の機能の操作に必要な操作入力や操作情報の表示は、操作パネル１６及び表示部１７等により行われるようになっている。
【００３２】
また、上述の如く、本体ユニット２の機能に関連する設定データは、本体ユニット２内の記憶部１１に保存され、付加ユニット３の機能に関連する設定データは、付加ユニット３内の記憶部２１に保存されるようになっている。
【００３３】
本体ユニット２のＣＰＵ１０は、操作パネル１６等を介して動作設定に関する設定データの入力を受け付けると、その設定データが本体ユニット２、付加ユニット３のいずれの機能に関連するものであるかを判別し、その設定データが本体ユニット２の機能に関連するものである場合には、その設定データを記憶部１１に記憶させ、その設定データが付加ユニット３の機能に関連するものであって付加ユニット３が装着されている場合には、その設定データを記憶部２１に記憶させるようになっている。
【００３４】
また、本体ユニット２のＣＰＵ１０は、付加ユニット３が装着されていない場合には、記憶部１１に保存されている本体ユニット２の機能に関連する設定データ（動作条件等）に基づいて、ファクシミリ受信等の動作処理（プリントアウトを行うか否か等）を行うようになっている。また、本体ユニット２のＣＰＵ１０は、付加ユニット３が装着されている場合には、付加ユニット３のＣＰＵ２０と連携し、記憶部１１に保存されている本体ユニット２の機能に関連する設定データ（動作条件等）と、記憶部２１に保存されている付加ユニット３の機能に関連する設定データ（動作条件等）とを組み合わせ統合し、ファクシミリ受信又は電子メール受信時等の動作処理（プリントアウトを行うか否か、転送を行うか否か、どこに転送するか、共有ホルダへ保存するか否か等）を行うようになっている。
【００３５】
次に、本体ユニット２の記憶部１１及び付加ユニット３の記憶部２１に保存される設定データの具体例、及びそれらの記憶部１１，２１に保存されている設定データを用いた動作例について説明を行う。
【００３６】
図２（ａ）は付加ユニット３が装着されていないときのファクシミリ受信時の動作設定例を示す図であり、図２（ｂ）は付加ユニット３が装着されているときのファクシミリ等の受信時の動作設定例を示す図である。付加ユニット３の装着により、電子メールの送受が可能となるため、受信したファクシミリを電子メールにより転送する等の処理が可能となり、それに伴ってファクシミリ受信時の動作設定も変更されるのが通常である。
【００３７】
具体的には、例えば図２（ａ）に示すように、付加ユニット３が装着されていないときは、ファクシミリ受信時の動作設定として、発信元に関する条件データＡ１（ファクシミリ番号）Ａ１と、その発信元からのファクシミリの受信時の動作内容データＢ１（例えば、プリントアウトを行うか否か、記憶部１１への保存を行うか否か等）とが対応付けられて設定データとして記憶部１１に登録されるようになっている。図２（ａ）に示す動作設定では、ファクシミリ番号xxxxxxxxxxからのファクシミリを受信したときは、そのファクシミリがプリンタ１３にてプリントアウトされるようになっている。
【００３８】
また、例えば図２（ｂ）に示すように、付加ユニット３が装着されているときは、ファクシミリ又は電子メール受信時の動作設定として、発信元に関する条件データＣ１（ファクシミリ番号、電子メールアドレス）と、その発信元からのファクシミリ又は電子メールの受信時の動作内容データＤ１（例えば、プリントアウトを行うか否か、記憶部１１への保存を行うか否か、ネットワーク４内の共有ホルダ等へ保存を行うか否か等）とが対応付けられて記憶部１１，２１に分けて登録されるようになっている。
【００３９】
図２（ｂ）に示す動作設定例では、発信元ファクシミリ番号xxxxxxxxxxからのファクシミリを受信したとき、又は、送信元電子メールアドレスxxx@xxx.jpからの電子メールを受信したときは、そのファクシミリ又は電子メールがプリンタ１３にてプリントアウトされるとともに、ファクシミリ又は電子メールをネットワーク４内の共有ホルダに設定された共有受信ＢＯＸ等に保存されるようになっている。そして、このような条件データＣ１及び動作内容データＤ１のデータ要素のうち、本体ユニット２の機能に関連するデータ要素Ｃ１ａ，Ｄ１ａ（ファクシミリ番号xxxxxxxxxx、プリントアウトの要否設定）は、図３（ａ）に示すように記憶部１１に保存されるようになっている。
【００４０】
また、付加ユニット３の機能に関連するデータ要素Ｃ１ｂ，Ｄ１ｂ（電子メールアドレスxxx@xxx.jp、共有受信ＢＯＸへの保存の要否設定）、及び、本体ユニット２の機能に関連するデータ要素Ｃ１ａ，Ｄ１ａと付加ユニット３の機能に関連するデータ要素Ｃ１ｂ，Ｄ１ｂとの関係を規定するデータ要素Ｃ１ｃ，Ｄ１ｃ（ここでは「or」、「and」等）は、図３（ｂ）に示すように記憶部２１に保存されるようになっている。なお、図２（ｂ）中の２点鎖線で囲んだ部分が記憶部２１に保存され、他の部分が記憶部１１に保存されるようになっている。
【００４１】
このように２カ所に分けて保存されたデータ要素Ｃ１ａ，Ｄ１ａ、Ｃ２ａ，Ｄ２ａ、Ｃ３ａ，Ｄ３ａ、・・・と、データ要素Ｃ１ｂ，Ｃ１ｃ，Ｄ１ｂ，Ｄ１ｃ、Ｃ２ｂ，Ｃ２ｃ，Ｄ２ｂ，Ｄ２ｃ、Ｃ３ｂ，Ｃ３ｃ，Ｄ３ｂ，Ｄ３ｃ、・・・とは、互いに組み合わされるべきもの同士が対応付けられて、リスト化されて保存されている。
【００４２】
図４は、電話帳データ（アドレスデータ）の構成例を示す図である。１件分の電話帳データは、相手先名Ｅ１ａ，Ｅ２ａ，Ｅ３ａ，・・・と、ファクシミリ番号Ｅ１ｂ，Ｅ２ｂ，Ｅ３ｂ，・・・と、電子メールアドレスＥ１ｃ，Ｅ２ｃ，Ｅ３ｃ，・・・とを含んでいる。この電話帳データのうち、相手先名Ｅ１ａ，Ｅ２ａ，Ｅ３ａ，・・・と、ファクシミリ番号Ｅ１ｂ，Ｅ２ｂ，Ｅ３ｂ，・・・とは本体ユニット２の記憶部１１に保存され、電子メールアドレスＥ１ｃ，Ｅ２ｃ，Ｅ３ｃ，・・・は、付加ユニット３の記憶部２１に保存されるようになっている。このように２カ所に分けて保存されたデータ要素（Ｅ１ａ，Ｅ２ａ，Ｅ３ａ，・・・、Ｅ１ｂ，Ｅ２ｂ，Ｅ３ｂ，・・・）と、データ要素（Ｅ１ｃ，Ｅ２ｃ，Ｅ３ｃ，・・・）とは、互いに組み合わされるべきもの同士が対応付けられて、リスト化されて保存されており、表示部１７等への出力の際には、１つの電話帳データとして統合されて出力（表示等）されるようになっている。なお、図４中の波線で囲んだ部分が記憶部１１に保存され、他の部分が記憶部２１に保存されるようになっている。
【００４３】
図５は、電話帳設定画面表示時の処理動作を示すフローチャートである。図５に示すように、操作パネル１６等を介して電話帳設定画面の表示要求が入力されると、本体ユニット２の記憶部１１から電話帳データ要素（Ｅ１ａ，Ｅ２ａ，Ｅ３ａ，・・・、Ｅ１ｂ，Ｅ２ｂ，Ｅ３ｂ，・・・）が読み出され（ステップＳ１）、付加ユニット３が装着されているか否かが判断される（ステップＳ２）。
【００４４】
付加ユニット３が装着されていない場合には、記憶部１１に保存されている電話帳データ要素（Ｅ１ａ，Ｅ２ａ，Ｅ３ａ，・・・、Ｅ１ｂ，Ｅ２ｂ，Ｅ３ｂ，・・・）のみに基づいて電話帳設定画面が形成されて表示部１７等に表示される（ステップＳ５）。
【００４５】
一方、付加ユニット３が装着されている場合には、付加ユニット３の記憶部２１に保存されている電話帳データ要素（Ｅ１ｃ，Ｅ２ｃ，Ｅ３ｃ，・・・）が読み出され（ステップＳ３）、記憶部１１から読み出されたデータ要素（Ｅ１ａ，Ｅ２ａ，Ｅ３ａ，・・・、Ｅ１ｂ，Ｅ２ｂ，Ｅ３ｂ，・・・）と、記憶部２１から読み出されたデータ要素（Ｅ１ｃ，Ｅ２ｃ，Ｅ３ｃ，・・・）とが一つの電話帳データに合成される（ステップＳ４）。そして、その合成された電話帳データに基づいて電話帳設定画面が形成され、表示部１７等に表示される（ステップＳ５）。
【００４６】
以上のように、本実施形態によれば、本体ユニット２のＣＰＵ１０によって、入力された設定データが、本体ユニット２、付加ユニット３のいずれの機能に関連するものが判別されて、本体ユニット２に備えられる記憶部１１と、付加ユニット３に備えられる記憶部２１とに分けて保存されるようになっている。このため、ユーザが本体ユニット２の機能に関する動作設定と、付加ユニット３の機能に関する動作設定とを独立して行う必要がなく、あたかも一つのユニットに対する動作設定を行っているかのようにして設定を行うことができ、付加ユニット３の動作設定を容易にかつ効率よく行うことができる。特に、本体ユニット２に備えられた操作パネル１６を介して本体ユニット２及び付加ユニット３の動作設定を行うことができるため、付加ユニット３が装着されている場合にも１カ所の操作パネル１６により容易かつ効率よく動作設定を行うことができる。
【００４７】
また、付加ユニット３の機能に関連する設定データは付加ユニット３の記憶部２１に保存されるため、付加ユニット３を取り外しても付加ユニット３の動作設定を保持することができる。
【００４８】
また、本体ユニット２のＣＰＵ１０が、付加ユニット３が装着されていない場合は記憶部１１に保存された設定データに基づいて処理動作を行い、付加ユニット３が装着されている場合は記憶部１１に保存された設定データ及び付加ユニット３の記憶部２１に保存された設定データに基づいて処理動作を行うため、付加ユニット３の着脱に伴ってＣＰＵ１０の処理動作を確実に切り替えることができ、処理動作に混乱が生じることがない。
【図面の簡単な説明】
【００４９】
【図１】本発明の一実施形態に係る情報処理装置としてのファクシミリ複合装置のブロックである。
【図２】図２（ａ）は付加ユニットが装着されていないときのファクシミリ受信時の動作設定例を示す図であり、図２（ｂ）は付加ユニットが装着されているときのファクシミリ等の受信時の動作設定例を示す図である。
【図３】図３（ａ）は本体ユニットに備えられる記憶部に記憶される設定データ例を示す図であり、図３（ｂ）は付加ユニットに備えられる記憶部に記憶される設定データ例を示す図である。
【図４】電話帳データの構成例を示す図である。
【図５】電話帳設定画面表示時の処理動作を示すフローチャートである。
【符号の説明】
【００５０】
１  ファクシミリ複合装置
２  本体ユニット
３  付加ユニット
１０  ＣＰＵ
１１  記憶部
１６  操作パネル
２０  ＣＰＵ
２１  記憶部
【図１】
2008035209.tif 000003
【図２】
2008035209.tif 000004
【図３】
2008035209.tif 000005
【図４】
2008035209.tif 000006
【図５】
2008035209.tif 000007